(57)【要約】      （修正有）【課題】接着剤を使用することなく仕切り板をスタンドに固定することができるスタンド付き仕切り板を提供する。【解決手段】スタンド付き仕切り板は、仕切り板１２と、仕切り板の下端部に着脱可能に取付けられ、仕切り板を設置面に対して直立した状態に保持する１又は複数のスタンド２０ａ、２０ｂを備えている。スタンド２０ａ、２０ｂには、仕切り板の下端部が着脱可能に差し込まれる第１スリットが形成されている。仕切り板１２には、凹部が形成されている。スタンドには、凹部に係合する凸部が形成されている。第１スリットに仕切り板の下端部が差し込まれると、凸部が凹部に係合してスタンドに仕切り板が固定される。【選択図】図１
0003228853.tif 000002
【実用新案登録請求の範囲】
【請求項１】
仕切り板と、
前記仕切り板の下端部に着脱可能に取付けられ、前記仕切り板を設置面に対して直立した状態に保持する１又は複数のスタンドと、を備えており、
前記スタンドには、前記仕切り板の下端部が着脱可能に差し込まれる第１スリットが形成されており、
前記仕切り板と前記スタンドの一方には、凹部が形成されており、
前記仕切り板と前記スタンドの他方には、前記凹部に係合する凸部が形成されており、
前記第１スリットに前記仕切り板の下端部が差し込まれると、前記凸部が前記凹部に係合して前記スタンドに前記仕切り板が固定される、スタンド付き仕切り板。
【請求項２】
前記凹部は、前記仕切り板に形成された貫通孔であり、
前記凸部は、前記スタンドに形成されており、
前記第１スリットに前記仕切り板が差し込まれると、前記凸部が前記仕切り板の前記貫通孔に差し込まれて前記スタンドに前記仕切り板が固定される、請求項１に記載のスタンド付き仕切り板。
【請求項３】
前記凸部は、前記スタンドの前記第１スリットの上端部に形成されている、請求項２に記載のスタンド付き仕切り板。
【請求項４】
前記仕切り板の下端部には、前記スタンドが着脱可能に差し込まれる第２スリットが形成されており、
前記第１スリットに前記仕切り板が差し込まれると共に、前記第２スリットに前記スタンドが差し込まれる、請求項１〜３のいずれか一項に記載のスタンド付き仕切り板。
【請求項５】
前記第１スリットの下端部には、前記仕切り板の板厚よりも幅が広くされた第１幅広部が形成されており、
前記第１スリットに前記仕切り板が差し込まれると、前記第１幅広部に前記第２スリットの底部が位置する、請求項４に記載のスタンド付き仕切り板。
【請求項６】
前記凸部は、前記第１スリットの上端部に形成されており、
前記第１スリットは、さらに、
前記第１幅広部に隣接し、前記仕切り板の板厚と略同一の幅となる第１部分と、
前記第１部分と前記凸部との間に形成され、前記第１幅広部よりも幅が広くされた第２幅広部と、備えている、請求項５に記載のスタンド付き仕切り板。
【請求項７】
前記仕切り板は、略四角形状の板材であり、
前記スタンドは、その下端部から上端部に向かって幅が狭くなる略台形状の板材である、請求項１〜６のいずれか一項に記載のスタンド付き仕切り板。
【請求項８】
前記スタンドを２個備えており、
前記仕切り板の下端部の２か所に前記スタンドがそれぞれ固定されている、請求項７に記載のスタンド付き仕切り板。
【考案の詳細な説明】
【技術分野】
【０００１】
本明細書に開示する技術は、スタンド付き仕切り板に関する。詳しくは、ウィルス感染症対策等のために用いられるスタンド付き仕切り板に関する。
【背景技術】
【０００２】
ウィルス感染症対策等のために、店舗等の支払いカウンターにスタンド付き仕切り板が設置されている。従来のスタンド付き仕切り板は、店舗の店員と客との間に配置される仕切り板と、その仕切り板に取り付けられるスタンドを備えている。スタンドには、仕切り板の下端部が差し込まれるスリットが形成されている。スタンドのスリットに仕切り板の下端部が差し込まれることで、仕切り板がスタンドを介して設置面に対して直立した状態で保持される。
【考案の概要】
【考案が解決しようとする課題】
【０００３】
従来のスタンド付き仕切り板は、スタンドのスリットに仕切り板を差し込んでいるだけなので、スタンド付き仕切り板を移動させる際に、仕切り板からスタンドが外れてしまうという問題があった。例えば、仕切り板の部分を手で持ってスタンド付き仕切り板を移動させようとすると、仕切り板からスタンドが外れて落下し、スタンドが破損するという問題が生じた。このような問題を解決するために、仕切り板とスタンドを接着剤で固定することもできるが、接着剤を使用すると溶剤臭が発生して残留するという問題が新たに生じる。
【０００４】
本明細書は、接着剤を使用することなく仕切り板をスタンドに固定することができるスタンド付き仕切り板を開示する。
【課題を解決するための手段】
【０００５】
本明細書に開示するスタンド付き仕切り板は、仕切り板と、仕切り板の下端部に着脱可能に取付けられ、仕切り板を設置面に対して直立した状態に保持する１又は複数のスタンドを備えている。スタンドには、仕切り板の下端部が着脱可能に差し込まれる第１スリットが形成されている。仕切り板とスタンドの一方には、凹部が形成されている。仕切り板とスタンドの他方には、凹部に係合する凸部が形成されている。第１スリットに仕切り板の下端部が差し込まれると、凸部が凹部に係合してスタンドに仕切り板が固定される。
【０００６】
上記のスタンド付き仕切り板では、仕切り板とスタンドの一方に凹部が形成され、他方に凸部が形成されている。そして、スタンドの第１スリットに仕切り板の下端部を差し込むと、凸部が凹部に係合してスタンドに仕切り板が固定される。すなわち、接着剤を用いることなくスタンドに仕切り板が固定される。その結果、スタンド付き仕切り板を移動させる際に、仕切り板からスタンドが外れてしまうといった事態が生じることを抑制することができる。
【図面の簡単な説明】
【０００７】
【図１】実施例に係るスタンド付き仕切り板の概略構成を示す斜視図。
【図２】仕切り板の正面図。
【図３】スタンドの正面図。
【図４】仕切り板とスタンドの係合部分を拡大して示す断面図。
【考案を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時の請求項に記載の組合せに限定されるものではない。
【０００９】
（特徴１）本明細書に開示するスタンド付き仕切り板では、凹部は、仕切り板に形成された貫通孔であってもよい。凸部はスタンドに形成されていてもよい。第１スリットに仕切り板が差し込まれると、凸部が仕切り板の貫通孔に差し込まれてスタンドに仕切り板が固定されてもよい。このような構成によると、仕切り板に形成された貫通孔を凹部とし、スタンドに凸部を形成するため、凹部と凸部を形成するための加工を容易に行うことができる。
【００１０】
（特徴２）本明細書に開示するスタンド付き仕切り板では、凸部は、スタンドの第１スリットの上端部に形成されていてもよい。このような構成によると、スタンドの上端部でスタンドと仕切り板が固定されるため、仕切り板をスタンドに安定して保持することができる。
【００１１】
（特徴３）本明細書に開示するスタンド付き仕切り板では、仕切り板の下端部には、スタンドが着脱可能に差し込まれる第２スリットが形成されていてもよい。第１スリットに仕切り板が差し込まれると共に、第２スリットにスタンドが差し込まれてもよい。このような構成によると、スタンドに対する仕切り板の組付け位置を安定化することができる。
【００１２】
（特徴４）本明細書に開示するスタンド付き仕切り板では、第１スリットの下端部には、仕切り板の板厚よりも幅が広くされた第１幅広部が形成されていてもよい。第１スリットに仕切り板が差し込まれると、第１幅広部に第２スリットの底部が位置してもよい。このような構成によると、第１スリットに仕切り板が差し込まれたときに、スタンドと仕切り板の相対的位置を微調整できるため、スタンドと仕切り板の組み付け作業を容易に行うことができる。
【００１３】
（特徴５）本明細書に開示するスタンド付き仕切り板では、凸部は第１スリットの上端部に形成されていてもよい。第１スリットは、さらに、幅広部に隣接し、仕切り板の板厚と略同一の幅となる第１部分と、第１部分と凸部との間に形成され、第１幅広部よりも幅が広くされた第２幅広部と、備えていてもよい。このような構成によると、第２幅広部によってスタンドが変形しやすくなるため、スタンドと仕切り板の組み付け作業を容易に行うことができる。
【００１４】
（特徴６）本明細書に開示するスタンド付き仕切り板では、仕切り板は略四角形状の板材であってもよい。スタンドは、その下端部から上端部に向かって幅が狭くなる略台形状の板材であってもよい。
【００１５】
（特徴７）本明細書に開示するスタンド付き仕切り板では、スタンドを２個備えていてもよい。仕切り板の下端部の２か所にスタンドがそれぞれ固定されていてもよい。このような構成によると、２個のスタンドで仕切り板を支持するため、仕切り板を安定して直立状態に保持することができる。
【実施例】
【００１６】
以下、実施例に係るスタンド付き仕切り板１０について説明する。スタンド付き仕切り板１０は、ウィルス感染症対策（すなわち、飛沫感染の防止）のために用いられ、例えば、店舗等の支払いカウンターに設置され、店舗店員と客との間に配置される。図１に示すように、スタンド付き仕切り板１０は、仕切り板１２と、仕切り板１２の下端に取付けられる２個のスタンド２０ａ，２０ｂと、を備えている。
【００１７】
図１，２に示すように、仕切り板１２は、正面視すると略長方形状に形成されており、上辺１４ａと側辺１６ａ，１６ｂと下辺１４ｂを有している。上辺１４ａと下辺１４ｂは平行となっており、側辺１６ａと側辺１６ｂは平行となっており、上辺１４ａ及び下辺１４ｂと側辺１６ａ，１６ｂは直交している。仕切り板１２は、板厚が一定の板材で形成されている。仕切り板１２の材料には、透明で弾性変形可能な樹脂材料（例えば、アクリル樹脂、ポリカーボネート樹脂、ＰＥＴ樹脂等）を用いることができる。また、仕切り板１２は、落下時の破損を防止するために、耐衝撃性を有する材料で形成されていてもよい。
【００１８】
仕切り板１２の下辺１４ｂには、２つのスリット１８ａ、１８ｂ（請求項でいう第２スリットの一例）が形成されている。スリット１８ａは、側辺１６ａの近傍に形成されており、上辺１４ａに向かって垂直上方に伸びている。すなわち、スリット１８ａと下辺１４ａのなす角度は９０度となっている。スリット１８ａの幅（左右方向の寸法）は、スタンド２０ａの板厚と略同一となっている。スリット１８ｂは、スリット１８ａと略同様に形成されている。すなわち、スリット１８ｂは、側辺１６ｂの近傍に形成されており、上辺１４ａに向かって垂直上方に伸びている。スリット１８ｂの幅は、スタンド２０ｂの板厚と略同一となっている。
【００１９】
仕切り板１２には、さらに上下方向に伸びる縦長の２つの貫通孔１９ａ，１９ｂ（請求項でいう凹部の一例）が形成されている。貫通孔１９ａは、スリット１８ａの直上（スリット１８ａの延長線上）に位置している。貫通孔１９ａの幅（左右方向の寸法）は、スリット１８ａの幅（すなわち、スタンド２０ａの幅）と同一となっている。貫通孔１９ｂは、スリット１８ｂの直上に位置している。貫通孔１９ｂの幅（左右方向の寸法）は、スリット１８ｂの幅（スタンド２０ｂの幅）と同一となっている。
【００２０】
次に、仕切り板１２の下辺１４ｂに着脱可能に取付けられるスタンド２０ａ、２０ｂについて説明する。スタンド２０ｂは、スタンド２０ａと同一の構成を有しているため、ここではスタンド２０ａについてのみ説明する。図３に示すように、スタンド２０ａは、正面視すると略台形状に形成されており、下辺２２ａの幅（左右方向の寸法）に対して上辺２４ａの幅（左右方向の寸法）が小さくなっている。詳細には、スタンド２０ａの側辺２６ａ、２６ｂは下辺２２ａに対して傾斜しており、側辺２６ａと下辺２２ａのなす角度は側辺２６ｂと下辺２２ａのなす角度と同一となっている。スタンド２０ａの幅（左右方向の寸法）は、下辺２２ａから上辺２４ａに向かって徐々に狭くなっている。
スタンド２０ａは、仕切り板１２と同様に、板厚が一定の板材で形成されている。スタンド２０ａの板厚は、仕切り板１２の板厚と同一となっている。スタンド２０ａの材料は、仕切り板１２の材料と同一の材料を用いることができ、また、耐衝撃性を有する材料で形成されていてもよい。
【００２１】
スタンド２０ａの上辺２４ａには、スリット３０（請求項でいう第１スリットの一例）が形成されている。スリット３０は、上辺２４ａの中央に形成されており、上辺２４ａから垂直下方に伸びている。すなわち、スリット３０と上辺２４ａのなす角度は９０度となっている。スリット３０は、上辺２４ａ側から、第１部分３２と、第１部分より幅広に形成された第２部分３４と、平面視すると楕円形状の開口を形成する第３部分３６（請求項でいう第２幅広部の一例）と、第２部分と同一の幅に形成された第４部分３８（請求項でいう第１部分の一例）と、平面視すると円形状の開口を形成する第５部分４０（請求項でいう第１幅広部の一例）と、を備えている。
【００２２】
第１部分３２は、その幅（左右方向の寸法）が仕切り板１２の板厚より狭くなっている。このため、スタンド２０ａの上端（すなわち、スリット３０の第１部分３２）には、第２部分３４と比較して、スリット３０の中心線に向かって突出する凸部２８，２９が形成されている。凸部２８，２９の上下方向の寸法は、仕切り板１２の貫通孔１９ａ，１９ｂの上下方向の寸法よりもわずかに短くされている。第２部分３２は、その幅がスタンド２０ａの板厚と略同一となっている。第３部分３６は、第２部分３２と比較して大きな開口となっており、その幅は仕切り板１２の板厚よりも広くなっている。スリット３０の第３部分３６に大きな開口が形成されるため、第３部分３６においてスタンド２０ａの板幅は狭くなっている。このため、スリット３０の第３部分３６によって、スタンド２０ａは弾性変形が容易となっている。第４部分３８は、第２部分３２と同様、その幅が仕切り板１２の板厚と略同一となっている。第５部分４０は、第４部分３８と比較して大きな開口が形成されており、その幅は仕切り板１２の板厚よりも広くなっている。凸部２８，２９の下端から第５部分４０の下端までの寸法（すなわち、第２部分３２と第３部分３６と第４部分３８と第５部分４０を合わせた寸法）は、仕切り板１２のスリット１８ａの上端から貫通孔１９ａの下端までの寸法と略同一となっている。なお、スタンド２０ａの下辺２２ａから第５部分４０の下端までの長さは、仕切り板１２のスリット１８ａ、１８ｂの上下方向の寸法と同一もしくは短くなっている。
【００２３】
上述した仕切り板１２にスタンド２０ａ，２０ｂを取り付ける際は、まず、スタンド２０ａのスリット３０に仕切り板１２を下端側（下辺１４ｂ側）から差し込む。この際、仕切り板１２のスリット１８ａ内にスタンド２０ａ（詳細には、第５部分４０の下端から下辺２２ａまでの部分）が差し込まれるように、仕切り板１２とスタンド２０ａの位置を調整する。なお、スタンド２０ａのスリット３０の第１部分３２の幅は、仕切り板１２の板厚よりも狭くなっている。このため、スタンド２０ａのスリット３０の一方側（側辺２６ａ側）に対して他方側（側辺２６ｂ側）が弾性変形した状態で、スリット３０内に仕切り板１２が差し込まれることになる。ここで、スリット３０は、平面視すると楕円形状の開口を形成する第３部分３６を備えているため、スタンド２０ａのスリット３０の一方側（側辺２６ａ側）に対して他方側（側辺２６ｂ側）が弾性変形し易くなっている。このため、仕切り板１２とスタンド２０ａとの組付け作業を容易に行うことができる。
【００２４】
スリット３０内に仕切り板１２が完全に差し込まれると、仕切り板１２のスリット１８ａ内にスタンド２０ａが完全に差し込まれる。このため、仕切り板１２のスリット１８ａの底部（スリット１８ａの上端部分）がスリット３０の底部（第５部分４０の下端）と当接する。スリット３０の第５部分４０は、仕切り板１２の板厚に比して大きな開口となっているため、仕切り板１２に対してスタンド２０ａの取付角度の微調整等を容易に行うことができる。スリット３０内に仕切り板１２が完全に差し込まれると、図４に示すように、仕切り板１２の貫通孔１９ａにスタンド２０ａの凸部２８，２９が嵌るように、スタンド２０ａのスリット３０の一方側（側辺２６ａ側）に対して他方側（側辺２６ｂ側）を弾性変形させる。上述したように、凸部２８，２９の下端から第５部分４０の下端までの寸法は、スリット１８ａの上端から貫通孔１９ａの下端までの寸法に合わせて設計されており、また、凸部２８，２９の上下方向の寸法は貫通孔１９ａ，１９ｂの上下方向の寸法に合わせて設計されている。このため、スリット３０内に仕切り板１２が完全に差し込まれた状態で、スタンド２０ａのスリット３０の一方側（側辺２６ａ側）に対して他方側（側辺２６ｂ側）を弾性変形させると、凸部２８，２９が貫通孔１９ａに進入（係合）し、仕切り板１２にスタンド２０ａが取付けられる（固定される）。なお、仕切り板１２にスタンド２０ｂを取付ける手順は、上記の手順と同様に行うことができる。
【００２５】
仕切り板１２にスタンド２０ａ，２０ｂが取り付けられた状態では、図１に示すように、仕切り板１２はスタンド２０ａ、２０ｂによって直立した状態に維持される。したがって、店舗等の支払いカウンターの上面にスタンド２０ａ、２０ｂが当接するように設置すると、仕切り板１２が店舗等の支払いカウンターの上面に直立した状態で維持される。
また、仕切り板１２にスタンド２０ａ，２０ｂが取り付けられた状態では、スタンド２０ａ，２０ｂの凸部２８，２９が仕切り板１２の貫通孔１９ａ，１９ｂに係合した状態となっている。このため、仕切り板１２に対してスタンド２０ａ，２０ｂが固定され、両者が分離することが抑制されている。このため、例えば、仕切り板１２の部分を手で持ってスタンド付き仕切り板１０を移動させたとしても、仕切り板１２からスタンド２０ａ，２０ｂが外れてしまうことが抑制される。仕切り板１２とスタンド２０ａ，２０ｂを一体として移動させることができるため、スタンド２０ａ，２０ｂが落下して破損するという事態を回避することができる。また、仕切り板１２にスタンド２０ａ，２０ｂを接着剤で固定しなくてもよいため、溶剤臭等の問題も生じない。
【００２６】
上記した実施例では、スタンド２０ａ、２０ｂの凸部２８，２９が、仕切り板１２の貫通孔１９ａ，１９ｂに係合するようにしたが、本発明はこのような形態に限られない。例えば、仕切り板１２に貫通孔１９ａ，１９ｂを形成することに代えて、凸部２８，２９が係合する凹部（くぼみ）を形成するようにしてもよい。
また、上記した実施例では、スタンド２０ａ、２０ｂに凸部２８，２９を形成し、仕切り板１２に貫通孔１９ａ，１９ｂを形成したが、本発明はこのような形態に限られない。例えば、スタンドに凹部を形成し、その凹部と係合する凸部を仕切り板に形成してもよい。
また、上記した実施例では、スタンド２０ａ，２０ｂの上端部に凸部２８，２９を形成したが、本発明はこのような形態に限られず、スタンドと仕切り板とが接触する部分であれば、どの位置にでも設けることができる。また、仕切り板及びスタンドの形状は目的に応じて任意の形状とすることができる。さらに、仕切り板に取付けるスタンドの個数は２個に限られず、仕切り板を直立した状態で保持できるのであれば、スタンドの個数は任意に設定することができる。
【００２７】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２８】
１０  スタンド付き仕切り板
１２  仕切り板
１８ａ，１８ｂ  スリット
１９ａ，１９ｂ  貫通孔
２０ａ，２０ｂ  スタンド
３０  スリット
【図１】
0003228853.tif 000003
【図２】
0003228853.tif 000004
【図３】
0003228853.tif 000005
【図４】
0003228853.tif 000006